(57)【要約】空気洗浄装置２００及び容器を洗浄するシステムが開示される。一例の空気洗浄装置は、第１の入口ポート２０８及び第１の出口ポート２１２を有する第１の筐体２０２と、第１の筐体内の第２の筐体２０４であって、第２の筐体は、第２の入口ポート２０１及び第２の出口ポート２１２を有し、第２の出口ポートは、第１の筐体の第１の入口ポートと同じ面に配置される、第２の筐体と、１または複数のエアムーバーとを具備し、該１または複数のエアムーバーが、第１の空気を第２の入口ポートに圧送し、第２の筐体が、第１の空気を第２の入口ポートから第２の出口ポートに導くようになっており、かつ、１または複数のエアムーバーは第２の空気を第１の出口ポートから引き出し、第１の筐体が、第２の空気を第１の入口ポートから第１の出口ポートに導くようになっている。
2021526958.tif 000002
【特許請求の範囲】
【請求項１】
空気洗浄装置において、
第１の入口ポートと、第１の出口ポートとを有する第１の筐体と、
前記第１の筐体内の第２の筐体であって、該第２の筐体は、第２の入口ポートと、第２の出口ポートとを有し、該第２の出口ポートは、前記第１の筐体の前記第１の入口ポートと同じ面に配置される第２の筐体と、
１または複数のエアムーバーとを具備し、
該１または複数のエアムーバーが、
第１の空気を前記第２の入口ポートに圧送し、前記第２の筐体が、前記第１の空気を前記第２の入口ポートから前記第２の出口ポートに導き、
第２の空気を前記第１の出口ポートから引き出し、前記第１の筐体が、前記第２の空気を前記第１の入口ポートから前記第１の出口ポートに導く空気洗浄装置。
【請求項２】
前記第１の筐体は、前記第１の入口ポートを含む複数の第１の入口ポートを具備し、前記第２の筐体は、前記第２の出口ポートと、前記第１の入口ポートの数に等しい複数の第２の出口ポートとを含む第２の出口ポートを具備し、前記第１の筐体は、前記第２の空気を前記複数の第１の入口ポートから前記第１の出口ポートに導き、前記第２の筐体は、前記第１の空気を前記第２の入口ポートから前記複数の第２の出口ポートに導く請求項１に記載の空気洗浄装置。
【請求項３】
前記複数の第２の出口ポートは、前記複数の第１の入口ポートのそれぞれの第１の入口ポートを通って延在する対応のノズルを備える請求項２に記載の空気洗浄装置。
【請求項４】
前記複数の第１の入口ポートと、前記複数の第２の出口ポートは一列に配置されている請求項３に記載の空気洗浄装置。
【請求項５】
前記複数の第１の入口ポートと、前記複数の第２の出口ポートは２列に配置されている請求項３に記載の空気洗浄装置。
【請求項６】
前記第１の入口ポートは、該第１の入口ポートに流入する前記第２の空気を加速する錐台形状の開口部を有する請求項１に記載の空気洗浄装置。
【請求項７】
前記第２の出口ポートは、前記第１の入口ポートの前記錐台形状の開口部の短い方の底辺を通って延在するノズルを備える請求項６に記載の空気洗浄装置。
【請求項８】
前記第１の筐体は、第１の面を有し、前記第１の入口ポート及び前記第２の出口ポートは前記第１の面上にあり、前記空気洗浄装置は、前記第１の面と同一平面に位置する拡張プレートを更に備える請求項１に記載の空気洗浄装置。
【請求項９】
前記第２の出口ポートはエアナイフを含む請求項１に記載の空気洗浄装置。
【請求項１０】
前記空気洗浄装置は前記第２の筐体内に配置され、陽イオン及び陰イオンを生成するイオナイザーを更に備え、前記第２の筐体は、前記第１の空気が前記陽イオン及び前記陰イオンを同伴するように、前記第１の空気を前記第２の入口ポートから前記第２の出口ポートに導く請求項１に記載の空気洗浄装置。
【請求項１１】
前記１または複数のエアムーバーは、正の空気圧を前記第２の入口ポートに提供することにより、前記第１の空気を圧送するように構成される請求項１に記載の空気洗浄装置。
【請求項１２】
前記１または複数のエアムーバーは、負の空気圧を前記第１の出口ポートに提供することにより、前記第２の空気を引き出すように構成される請求項１に記載の空気洗浄装置。
【請求項１３】
容器洗浄システムにおいて、
開口部を有した容器を送る給送ラインであって、該給送ラインは、前記容器の移動方向に対して横断方向に第１の容器数の列で前記容器を送る給送ラインと、
前記給送ラインに隣接して配置される空気洗浄装置とを具備し、
該空気洗浄装置は、
前記第１の容器数の列に等しい数の第１の入口ポートと、第１の出口ポートとを有する第１の筐体と、
前記第１の筐体内の第２の筐体であって、該第２の筐体は、第２の入口ポートと、前記第１の容器数の列に等しい数の第２の出口ポートとを有し、該第２の出口ポートは、前記第１の筐体の前記第１の入口ポートと同じ面に配置される、第２の筐体と、
１または複数のエアムーバーとを具備し、
該１または複数のエアムーバーが、
第１の空気を前記第２の入口ポートに圧送し、前記第２の筐体が、前記第１の空気を前記第２の入口ポートから前記第２の出口ポートへ、そして前記容器内に導くように形成され、かつ、
前記第１の出口ポートを介して第２の空気を引き出し、前記第１の筐体が、前記第２の空気を前記第１の入口ポートから前記第１の出口ポートに導き、前記容器から空気及び微粒子を引き出すように形成されている容器洗浄システム。
【請求項１４】
前記第２の出口ポートの数は前記第１の入口ポートの数に等しく、前記第１の筐体は、前記第２の空気を前記第１の入口ポートから前記第１の出口ポートに導き、前記第２の筐体は、前記第１の空気を前記第２の入口ポートから前記第２の出口ポートに導く請求項１３に記載の容器洗浄システム。
【請求項１５】
前記第２の出口ポートは、前記第１の入口ポートのそれぞれの第１の入口ポートを通って延在する対応のノズルを備える請求項１４に記載の容器洗浄システム。
【請求項１６】
前記第１の入口ポート及び前記第２の出口ポートは一列に配置される請求項１５に記載の容器洗浄システム。
【請求項１７】
前記第１の入口ポート及び前記第２の出口ポートは二列に配置される請求項１５に記載の容器洗浄システム。
【請求項１８】
前記第１の入口ポートのそれぞれは、該第１の入口ポートに入る前記第２の空気を加速する錐台形状の開口部を有する請求項１３に記載の容器洗浄システム。
【請求項１９】
前記第２の出口ポートのそれぞれは、前記第１の入口ポートのそれぞれの第１の入口ポートの前記錐台形状の開口部の短い方の底辺を通って延在するノズルを備える請求項１８に記載の容器洗浄システム。
【請求項２０】
前記第１の筐体は第１の面を有し、前記第１の入口ポート及び前記第２の出口ポートは前記第１の面上に設けられ、前記空気洗浄装置は、前記第１の面と同一平面に位置する拡張プレートを更に備える請求項１３に記載の容器洗浄システム。
【発明の詳細な説明】
【技術分野】
【０００１】
［関連出願］
本願は、「Air Rinsing Apparatus and Systems for Rinsing Containers」と題する２０１８年６月５日に出願された米国仮特許出願第６２／６８０，７９６号に対する優先権を主張する。米国仮特許出願第６２／６８０，７９６号の全内容は、引用することにより本明細書の一部をなす。
【０００２】
本開示は、容器洗浄システムに関し、より詳細には、空気洗浄装置及び容器を洗浄するシステムに関する。
【背景技術】
【０００３】
食品包装工場及び他のタイプの包装工場において、容器又は包装は、食品又は他の製品を包装に導入する前に、洗浄を必要とする場合がある。従来の包装洗浄システムは、重力によって包装から微粒子状物質を除去することができるように、包装を逆さにすることが必要であった。
【発明の概要】
【０００４】
図のうちの少なくとも１つに示されるとともに、それらの図に関連して記載され、特許請求の範囲により完全に記載されるように、溶接のための一貫した電極状態をもたらす方法及びシステムが提供される。
【０００５】
産業デバイスに対する端末入力及び出力を提供する従来の手法の制限及び不都合点は、そのような手法を、図面を参照して、本開示の他の部分に記載の本装置及びシステムのいくつかの態様と比較することにより、当業者には明らかとなる。
【図面の簡単な説明】
【０００６】
【図１】本開示の態様に係る一例の容器洗浄システムを示す図である。
【図２】図１の空気洗浄器を実現するのに用いることができる一例の空気洗浄器の斜視図である。
【図３】図２の例の空気洗浄器の断面立面図である。
【図４】図２の例の空気洗浄器の底面図である。
【図５】図３の例の第２の筐体の斜視図である。
【図６】図３の例の空気洗浄器の動作の一例を示す図である。
【図７】拡張プレートを備える、図２の例の空気洗浄器を示す図である。
【発明を実施するための形態】
【０００７】
図面は、必ずしも正確な縮尺ではない。適切な場合は、同様の又は同一の参照番号を使用して、同様の又は同一の構成要素を指す。
【０００８】
開示の例の空気洗浄装置及び容器洗浄システムは、包装の開口部が上方に面する向きを含め、包装のいずれの向きでも、微粒子状物質を排除することを可能にしながら、容器等の包装からの微粒子状物質の排除を向上させる。開示の例の空気洗浄装置は、単一のエアムーバーとともに用いて、容器内への空気（又は他の気体）の送風並びに容器からの空気及び微粒子状物質の除去のための吸引の双方を行うことができる。
【０００９】
開示の例の空気洗浄装置は、第１の入口ポートと、第１の出口ポートとを有する第１の筐体と、第１の筐体内の第２の筐体であって、第２の筐体は第２の入口ポートと、第２の出口ポートとを有し、第２の出口ポートは、第１の筐体の第１の入口ポートと同じ面に配置される、第２の筐体と、１または複数のエアムーバーとを備える。エアムーバーは、第１の空気を第２の入口ポートに圧送し、第２の筐体が、第１の空気を第２の入口ポートから第２の出口ポートに導くような構成であるとともに、第２の空気を第１の出口ポートから引き出し、第１の筐体が、第２の空気を第１の入口ポートから第１の出口ポートに導くようになっている。
【００１０】
いくつかの例の空気洗浄装置において、第１の筐体は、第１の入口ポートを含む複数の第１の入口ポートを有し、第２の筐体は、第２の出口ポートを含むとともに、第１の入口ポートの数に等しい複数の第２の出口ポートを有し、第１の筐体は、第２の空気を複数の第１の入口ポートから第１の出口ポートに導き、第２の筐体は、第１の空気を第２の入口ポートから複数の第２の出口ポートに導く。いくつかの例において、複数の第２の出口ポートは、複数の第１の入口ポートのそれぞれの第１の入口ポートを通って延在する対応のノズルを備える。いくつかの例において、複数の第１の入口ポート及び複数の第２の出口ポートは、一列に配置される。いくつかの例において、複数の第１の入口ポート及び複数の第２の出口ポートは、二列に配置される。
【００１１】
いくつかの例の空気洗浄装置において、第１の入口ポートは、第１の入口ポートに入る第２の空気を加速する錐台形状の開口部を有する。いくつかの例において、第２の出口ポートは、第１の入口ポートの錐台形状の開口部の上底を通って延在するノズルを備える。いくつかの例において、第１の筐体は、第１の面を有し、第１の入口ポート及び第２の出口ポートは、第１の面上にあり、空気洗浄装置は、第１の面と同一平面に位置する拡張プレートを更に備える。いくつかの例において、第２の出口ポートは、エアナイフを含む。
【００１２】
いくつかの例の空気洗浄装置は、第２の筐体内に配置され、陽イオン及び陰イオンを生成するイオナイザーを更に備え、第２の筐体は、第１の空気が陽イオン及び陰イオンを同伴するように、第１の空気を第２の入口ポートから第２の出口ポートに導く。いくつかの例において、１または複数のエアムーバーは、正の空気圧を第２の入口ポートにもたらすことにより、第１の空気を圧送する。いくつかの例において、１または複数のエアムーバーは、負の空気圧を第１の出口ポートにもたらすことにより、第２の空気を引き出す。
【００１３】
開示の例の容器洗浄システムは、給送ライン及び空気洗浄装置を備える。給送ラインは、容器の移動方向に対して横断方向の容器の第１の数の列に、開口部を有する容器を導く。空気洗浄装置は、給送ラインに隣接して配置され、空気洗浄装置は、容器の第１の数の列に等しい数の第１の入口ポートと、第１の出口ポートとを有する第１の筐体と、第１の筐体内の第２の筐体であって、第２の筐体は、第２の入口ポートと、容器の第１の数の列に等しい数の第２の出口ポートとを有し、第２の出口ポートは、第１の筐体の第１の入口ポートと同じ面に配置される、第２の筐体と、１または複数のエアムーバーであって、第１の空気を第２の入口ポートに圧送し、第２の筐体が、第１の空気を第２の入口ポートから第２の出口ポートに及び容器内に導くような構成であるとともに、第１の出口ポートを介して第２の空気を引き出し、第１の筐体が、第２の空気を第１の入口ポートから第１の出口ポートに導き、容器から空気及び微粒子を引き出す１または複数のエアムーバーとを備える。
【００１４】
いくつかの例の容器洗浄システムにおいて、第２の出口ポートの数は、第１の入口ポートの数に等しく、第１の筐体は、第２の空気を第１の入口ポートから第１の出口ポートに導き、第２の筐体は、第１の空気を第２の入口ポートから第２の出口ポートに導く。いくつかの例において、第２の出口ポートは、第１の入口ポートのそれぞれの第１の入口ポートを通って延在する対応のノズルを備える。いくつかの例において、第１の入口ポート及び第２の出口ポートは、一列に配置される。いくつかの例において、第１の入口ポート及び第２の出口ポートは二列に配置される。
【００１５】
いくつかの例の容器洗浄システムにおいて、第１の入口ポートのそれぞれは、第１の入口ポートに入る第２の空気を加速する錐台形状の開口部を有する。いくつかの例の容器洗浄システムにおいて、第２の出口ポートのそれぞれは、第１の入口ポートのそれぞれの第１の入口ポートの錐台形状の開口部の上底を通って延在するノズルを備える。いくつかの例において、第１の筐体は、第１の面を有し、第１の入口ポート及び第２の出口ポートは、第１の面上にあり、空気洗浄装置は、第１の面と同一平面に位置する拡張プレートを更に備える。
【００１６】
図１は、一例の容器洗浄システム１００のブロック図である。システム１００は、システム１００の適用物（applications）１０４を移動方向１０６に搬送するコンベヤ又は給送ライン１０２を備える。例としての適用物１０４は、単一の開口部を有する容器（例えば、缶、カップ、箱等）及び／又は他の任意のタイプの包装を含む。適用物１０４は、移動方向１０６に対して横断方向に位置する複数の給送ラインによって搬送することができる。図２〜図６を参照して以下に記載する例は、４つの並列の給送ラインから微粒子状物質を除去するように構成されるが、任意の数の並列の給送ラインを用いることができる。
【００１７】
システム１００は、適用物１０４が給送ライン１０２に沿って移動する際に、適用物１０４の移動経路に隣接して位置する空気洗浄器１０８を備える。空気洗浄器１０８は、適用物１０４内に空気を送風すると同時に、適用物１０４に隣接して吸引を行う。この吸引により、微粒子状物質が適用物１０４から除去され、微粒子状物質は、適用物１０４の内面から離れ、空気洗浄器１０８から送風される空気によって適用物１０４内に発生した空気流に同伴される。
【００１８】
いくつかの例において、空気洗浄器１０８は、陽イオン及び陰イオンを発生させ、送風される空気によって、陽イオン及び陰イオンを適用物１０４に導く。このために、本例のシステム１００は、以下により詳細に記載されるように、陽イオン及び陰イオンの発生を可能にするように空気洗浄器１０８に電気接続された高圧電源１１０を備えることができる。
【００１９】
エアムーバー１１２が、適用物１０４に空気を送風するために、正の空気圧を空気洗浄器１０８にもたらし、適用物１０４から微粒子状物質を含む空気を除去するために、負の空気圧を空気洗浄器１０８にもたらす。単一のエアムーバー１１２を用いることにより、システム１００の複雑性及びメンテナンスコストが低減される。さらに、単一のエアムーバー１１２を用いることで、適用物１０４に送風される空気の流量及び適用物１０４から除去される空気の流量を、一貫して等しくすることが可能である。空気洗浄器１０８とエアムーバー１１２の負圧源との間に１つ以上のフィルター１１４が設けられ、適用物１０４から除去された微粒子状物質を濾過する。
【００２０】
他の例において、第１のエアムーバーを、空気洗浄器１０８に正圧をもたらすのに用いることができ、第２のエアムーバーを、空気洗浄器１０８に負圧をもたらすのに用いることができる。
【００２１】
図２は、図１の空気洗浄器１０８を実現するのに用いることができる一例の空気洗浄器２００の斜視図である。図３は、本例の空気洗浄器２００の断面立面図であり、図４は、本例の空気洗浄器２００の底面図である。空気洗浄器２００は、第１の筐体２０２を備え、第１の筐体２０２内に、第２の筐体２０４が取り付けられる。図５は、本例の第２の筐体２０４の斜視図である。
【００２２】
第１の筐体２０２は、第１の出口ポート２０６（例えば、微粒子出口ポート）を介して負圧空気源（例えば、図１のエアムーバー１１２）に接続される。負の空気圧により、第１の筐体２０２は、第１の入口ポート２０８を介して空気（及び空気に同伴される微粒子状物質）を引き込む。本例の入口ポート２０８は、空気洗浄器２００を介して洗浄される適用物を搬送する並列の給送ラインの数（例えば、４つ）に基づいた数になっている。図示の例では、第１の入口ポート２０８は、円錐台形状を有し、ここでは、円錐台の長い方の底辺から短い方の底辺に向かって空気が引き込まれる。第１の入口ポート２０８の錐台形状により、空気流が第１の筐体２０２の内部に近づくにつれて空気速度が増大する。錐台の下底は、適用物１０４の開口部（例えば、容器の開口部）と合致して、適用物１０４からの微粒子収集を向上することができる。単純な開口部と比較して、錐台形状は、微粒子状物質が第１の筐体２０２から逆戻りし得る表面積も低減する。しかしながら、第１の入口ポート２０８は、単純な開口部等の他の形状を有してもよい。
【００２３】
本例の第２の筐体２０４は、第２の入口ポート２１０を介して正圧空気源（例えば、図１のエアムーバー１１２）に接続され、第２の出口ポート２１２を介して空気を放出する。例えば、第２の筐体２０４は、第２の入口ポート２１０を介して正の空気圧を受け取り、第２の出口ポート２１２を介して受け取った空気を分配するマニホールドとすることができる。
【００２４】
第２の出口ポート２１２は、第１の入口ポート２０８のそれぞれの第１の入口ポートを通って少なくとも部分的に突出するノズル２１４を備える。したがって、第１の入口ポート２０８及び第２の出口ポート２１２は、第１の筐体２０２の同じ面２１６に配置される。例えば、図２及び図３に示されているように、ノズル２１４は、第１の筐体２０２の内部から錐台の上底を通って延在するが、錐台の下底、すなわち第１の筐体２０２の面２１６を越えて延在はしない。
【００２５】
図３の例の第２の筐体２０４は、イオナイザー２１８を更に備える。イオナイザー２１８は、図１の高圧電源１１０に連結される。動作時、イオナイザー２１８は、陽イオン及び陰イオンを発生させる。このイオンは、第２の入口ポート２１０から第２の出口ポート２１２に移動する空気流内に移動し、第２の出口ポート２１２において、イオンが適用物１０４に吹き付けられる。このイオンは、微粒子状物質及び／又は適用物１０４上に存在し、微粒子状物質が空気流によって除去されるのではなく適用物１０４への付着を引き起こし得る静電荷を中和することができる。イオナイザー１１８は、コロナワイヤ、個別のイオンエミッター、及び／又は他の任意の方法を用いて実現することができる。
【００２６】
図５に示されているように、イオナイザー２１８には、高電圧ワイヤ２２０を介して高電圧を提供し、基準電圧ワイヤ２２２を介して基準電圧を提供し、及び／又は接地ワイヤ２２４によって接地基準を提供することができる。ワイヤ２２０〜２２４は、第１の筐体２０２を通って延在する。ワイヤプラグ２２６により、ワイヤ２２０〜２２４が第１の筐体２０２を貫通する場所において、第１の筐体２０２に空気シールがもたらされる。
【００２７】
図２〜図５の例の第２の筐体２０４は、個別の出口ポート２１２を有するが、他の例では、出口ポート２１２は、エアナイフに置き換えることができる。そのような例において、第１の入口ポート２０８は、第１の入口ポート２０８と同様に吸引を行うように構成された単一の第１の入口ポートに置き換えることもできる。例えば、単一の第１の入口ポートは、第１の筐体２０２の内方にテーパー状になっており、第１の入口ポート２０８の錐台形状と同様の利益をもたらすことができる。
【００２８】
図２の例の空気洗浄器２００は、単一の列の第１の入口ポート２０８及び第２の出口ポート２１２を有するが、他の例では、第１の入口ポート２０８及び第２の出口ポート２１２と同一の第２の列の入口ポート及び出口ポートを有することができる。第２の列の入口ポート及び出口ポートは、適用物１０４からの微粒子の洗浄及び収集を更に向上することができる。
【００２９】
図６は、図２〜図５の例の空気洗浄器２００の動作の一例を示している。図６において、空気洗浄器２００は、図１の並列の給送ライン１０２上を搬送される４つの直立した容器６０２、６０４、６０６、６０８に隣接して示されている。本例の空気洗浄器２００は、容器６０２〜６０８が空気洗浄器２００との流体連通を確立及び解除するように移動しながら、連続的に稼働することができる。図６に示されているように、適用物１０４（例えば、容器６０２〜６０８）の頂部との間の離隔距離は、第２の出口ポート２１２と、第１の入口ポート２０８と、容器６０２〜６０８との間の流体連結を向上するように制限することができ、それにより、空気洗浄器２００によって捕捉される微粒子の割合が向上し、空気洗浄器２００及び／又はシステム１００の周囲の環境に流出し得る微粒子の量が低減される。
【００３０】
第１の空気流６１０は、図１のエアムーバー１１２からの正圧によって発生し、第２の入口ポート２１０を介して第２の筐体２０４に入る。第１の空気流６１０は、イオナイザー２１８によって発生した陽イオン及び陰イオン（図６において、＋記号及び−記号によって示されている）を同伴し、イオンとともにノズル２１４から出て容器６０２〜６０８に入る。本例の第１の空気流６１０は、容器６０２〜６０８の反対側の端部に達し、及び／又は、容器６０２〜６０８内の微粒子状物質６１２が容器６０２〜６０８から離れるように、容器６０２〜６０８内に実質的な乱流をもたらすように、十分な速度でノズル２１４を出る。
【００３１】
第２の空気流６１４は、第１の出口ポート２０６を介したエアムーバー１１２からの負圧によって発生する。第２の空気流６１４は、第１の空気流６１０と実質的に同じ空気を含み、遊離した微粒子状物質６１２を同伴している。第２の空気流６１４は、容器６０２〜６０８から第１の入口ポート２０８を通って第１の筐体２０２内に流れる。第１の筐体２０２からは、負圧により、第２の空気流６１４が、第１の筐体２０２から第１の出口ポート２０６を通ってエアムーバー１１２に流れる。
【００３２】
図７は、拡張プレート７０２、７０４を備える、図２の例の空気洗浄器２００を示している。拡張プレート７０２、７０４は、空気洗浄器２００によって洗浄を行う前及び／又は行った後に、或る距離にわたって適用物１０４を覆う。特に、拡張プレート７０２、７０４は、ノズル２１４と、適用物１０４と、空気洗浄器２００の外部の環境との間に空気経路が形成されることを低減又は防止する。例えば、適用物１０４が最初にノズル２１４と流体連通する際、空気流（及び微粒子）は、適用物１０４を介して外部環境と流体連通しているノズル２１４によって、第１の筐体２０２内に吸引されることから逃れることができる。拡張プレート７０２、７０４は、任意の適切な取付け技法を用いて、一体化、恒久取付け、又は取外し可能とすることができる。
【００３３】
拡張プレート７０２、７０４に対する一代替形態として、第１の筐体２０２の寸法を調整し、拡張プレート７０２、７０４と同様の領域を覆うように、第１の筐体２０２の面２１６を拡張することができる。
【００３４】
本明細書で使用する「及び／又は」は、「及び／又は」によって連結されるリストにおける項目のうちの任意の１つ以上の項目を意味する。一例として、「ｘ及び／又はｙ」は、３つの要素の組｛（ｘ），（ｙ），（ｘ，ｙ）｝のうちの任意の要素を意味する。言い換えれば、「ｘ及び／又はｙ」は、「ｘ及びｙのうちの一方又は両方」を意味する。別の例として、「ｘ、ｙ及び／又はｚ」は、７つの要素の組｛（ｘ），（ｙ），（ｚ），（ｘ，ｙ），（ｘ，ｚ），（ｙ，ｚ），（ｘ，ｙ，ｚ）｝のうちの任意の要素を意味する。言い換えれば、「ｘ、ｙ及び／又はｚ」は、「ｘ、ｙ及びｚのうちの１つ以上」を意味する。本明細書で使用する「例示的な」という用語は、非限定的な例、事例又は例証としての役割を果たすことを意味する。本明細書で使用する「例えば」という用語は、１つ以上の非限定的な例、事例又は例証のリストを開始する。
【００３５】
本装置及び／又はシステムを、或る特定の実施態様を参照して記載してきたが、当業者であれば、本装置及び／又はシステムの範囲から逸脱することなく、種々の変更を行うことができること及び均等物に置き換えることができることを理解するであろう。加えて、本開示の範囲から逸脱することなく、本開示の教示に対して特定の状況又は材料を適合させるように多くの改変を行うことができる。したがって、本装置及び／又はシステムは、開示されている特定の実施態様に限定されない。代わりに、本装置及び／又はシステムは、字義どおりにでも均等論のもとにおいても、添付の特許請求の範囲内に入る全ての実施態様を含む。
【符号の説明】
【００３６】
１００    容器洗浄システム
１０２    給送ライン
１０４    適用物
１０６    移動方向
１０８    空気洗浄器
１１０    高圧電源
１１２    エアムーバー
１１４    フィルター
１１８    イオナイザー
２００    空気洗浄器
２０２    第１の筐体
２０４    第２の筐体
２０６    第１の出口ポート
２０８    第１の入口ポート
２１０    第２の入口ポート
２１２    第２の出口ポート
２１４    ノズル
２１６    面
２１８    イオナイザー
２２０    高電圧ワイヤ
２２０    ワイヤ
２２１    ワイヤ
２２２    基準電圧ワイヤ
２２３    ワイヤ
２２４    接地ワイヤ
２２６    ワイヤプラグ
６０２    容器
６０３    容器
６０４    容器
６０５    容器
６０６    容器
６０７    容器
６０８    容器
６１０    第１の空気流
６１２    微粒子状物質
６１４    第２の空気流
７０２    拡張プレート
７０４    拡張プレート
【図１】
2021526958.tif 000003
【図２】
2021526958.tif 000004
【図３】
2021526958.tif 000005
【図４】
2021526958.tif 000006
【図５】
2021526958.tif 000007
【図６】
2021526958.tif 000008
【図７】
2021526958.tif 000009
【国際調査報告】
2021526958.tif 000010
2021526958.tif 000011